(57)【特許請求の範囲】
【請求項１】
胴体が縦に分割された２枚の胴体片を備えた植木鉢において、
隣り合う胴体片の上端相互を両方の胴体片に跨るコ字上のピンで係止し、底板は周縁が立ち上げられた外側の立ち上げ部と、当該外側の立ち上げ部と胴体片の厚みを隔てた内側に内側の立ち上げ部を備え、胴体片の下端は、当該内外の立ち上げ部の間に嵌め込まれるとともに、係止ピンを立ち上げ部の外側から貫挿して、底板と各胴体片を係止し、更に、一方の胴体片の厚みの両側に重ね代を延設し、他方の胴体片を前記重ね代ではさみ込むようにし、外側の重ね代から他方の胴体片を貫通し内側の重ね代に至る係止ピンを貫挿したことを特徴とする植木鉢。
【発明の詳細な説明】
【技術分野】
【０００１】
本発明は植木鉢に関し、特に分割可能にした植木鉢に関するものである。
【背景技術】
【０００２】
植物の成長に伴って最初に植えた鉢が小さくなり、大きな鉢に植え替えることがなされている。鉢植え植物を植え替える作業は、古い鉢から、土ごと植え替え対象の植物を抜き取って新しい鉢に移すことになる。
【０００３】
鉢が地上に置かれた状態で植物が成長したとき、その根が、鉢の底の通水穴から張り出して、植え替え時に鉢から抜けなくなることがある。特に、根の強い木性植物にはこの傾向がつよくなる。
【０００４】
この事情を考慮して、胴体部を分割可能にして、植え替えが便利なようにした鉢が、例えば特開２００９−１０６１７４に開示されている。これによって、たとえ根が鉢の底から地中に張り出したとしても、鉢の胴体を分割して、植え替え対象の植物を抜き出すことは容易にできることになる。
【先行技術文献】
【特許文献】
【０００５】
特開２００９−１０６１７４
【発明の概要】
【発明が解決しようとする課題】
【０００６】
特開２００９−１０６１７４によると、複数に分割した胴体を上下に環状固定具を嵌め込んで固定するようになっている。ところが、大型の鉢になると中に入れる土の量も多くなり、それだけ重量が大きくなり、中の土からの圧力を受けている環状固定具が抜けにくくなる。更に、時間経過とともに、中に植えられている植物の根が増殖し、前記圧力をさらに大きくすることになり、上記環状固定具の抜け難さが増すことになる。
【０００７】
また、地上に前記鉢が置かれたときには、長時間経つと、根が底の水抜き穴から地中に張り出して、鉢が地上から離れなくなるようなときには、上記傾向をさらに助長することになる。
【０００８】
加えて、分割された胴体は、当然強度上の問題があるとともに、継ぎ合わせ部から、水漏れが生じることになる。
【０００９】
本発明は上記従来の事情に鑑みて提案されたものであって、鉢の大きさ、植えられている植物の根の張り具合に関わりなく、植え替えが容易で、かつ、強度的にも十分で水漏れもない植木鉢を提案するものである。
【課題を解決するための手段】
【００１０】
本発明は胴体が縦に複数の胴体片を備えた植木鉢を前提とする。
【００１１】
上記鉢において、隣り合う胴体片の上端相互を両方の胴体片に跨るコ字状のピンで係止し、底板は周縁部に前記胴体片の厚みに対応した間隔を保って、内外に立ち上げられた２重の立ち上げ部を備え、各胴体片の下端は、当該立ち上げ部の間に嵌め込まれるとともに、係止ピンを立ち上げ部の外側から貫挿して、底板と各胴体片を係止し、更に、一方の胴体片の厚みの両側に重ね代を延設し、他方の胴体片を前記重ね代で挟み込むようにし、外側の重ね代から他方の胴体片を貫通し内側の重ね代に至る係止ピンを貫挿したことを特徴とする植木鉢。
【発明の効果】
【００１２】
この構成により、複数に分割された胴体片は簡単にその係合が解かれることになり、植え替えが極めて容易になる。また、重ね代を設けているので、強度的にも十分であり、水漏れもない。
【図面の簡単な説明】
【００１３】
【図１】図１は、本発明の全体斜視図である。
【図２】図２は、図１の分解斜視図である。
【発明を実施するための形態】
【００１４】
図１は本発明の全体斜視図、図２は本発明の分解斜視図である。
【００１５】
植木鉢の胴体が複数（図面上は２つ）に分割されて胴体片１１ａ、１１ｂが形成される。一方の胴体片１１ａの分割位置の厚み方向の両側には下記のように２つの胴体片１１ａ、１１ｂを組み合わせたときに当接位置から外部に水漏れがないように、一方の胴体片１１ａの厚みの両側から他方の胴体片１１ｂの厚みを挟み込んで被さるように、外側の重ね代１１５ａと内側の重ね代１１５ｂが延設される。更に、この胴体片１１ａ、１１ｂを分割前の状態に組み合わせたときの下部の径に対応した径を持つ底板１２が別途用意され、その周縁に外側の立ち上げ部１２１ａが、また、外側の立ち上げ部１２１ａから前記胴体片１１ａ、１１ｂの厚みに対応する距離を隔てて内側の立ち上げ部１２１ｂが設けられる。
【００１６】
前記胴体片１１ａ、１１ｂの上端端には折り返し部１１１が設けられ強度を確保するとともに、当該折り返し部１１１の上側の両端部には、係止穴１１２が設けられる。また、各胴体片１１ａ、１１ｂの下端部の前記内外の立ち上げ部１２１ａ、１２１ｂに対応する位置には周方向に所定間隔で、複数の係止穴１２２が設けられ、当該係止穴１２２に対応して、内外の立ち上げ部１２１ａ、１２１ｂにも係止穴１３２ａ、１３２ｂが設けられる。従って、係止穴１２２と、係止穴１３２ａ、１３２ｂは、胴体片１１ａ、１１ｂが組み合わせられたとき、連通することになる。さらに、一方の胴体片１１ａの厚みの両側の前記重ね代１１５ａ、１１５ｂにそれぞれ係止穴１５２ａ、１５２ｂが設けられ、当該係止穴１５２ａ、１５２ｂに対応して他方の胴体片１１ｂに係止穴１４２が設けられる。従って、係止穴１４２と係止穴１５２ａ、１５２ｂは下記のように各胴体片１１ａ、１１ｂが底板１２に組み込まれたときに連通するようになっている。但し、外側の重ね代１１５ａは外側の立ち上げ部１２１ａの高さより上に配置されるようになっている。従って、立ち上げ部１２１ａの部分は、立ち上げ部１２１ａ、他方の胴体片１１ｂの端部、内側の重ね代１１５ｂ、内側の立ち上げ部１２１ｂとが重なり、前記立ち上げ部１２１ａの係止穴１３２ａと、他方の胴体片１１ｂの係止穴１２２と内側の重ね代の係止穴１５２ｂ、内側の立ち上げ部１２１ｂの係止穴１５２ｂとが連通することになる（図２の破線矢印参照）。
【００１７】
前記のように、底板１２と胴体片１１ａ、１１ｂを構成しておき、底板１２の内外の立ち上げ部１２１ａ、１２１ｂの間に胴体片１１ａ、１１ｂを嵌め込んで植木鉢として組み立てる。このとき、前記内外の立ち上げ部１２１ａ、１２１ｂの係止穴１３２ａ、１３２ｂと、胴体片の下側の係止穴１２２とが一致するように、更に、底板１２に各胴体片１１ａ、１１ｂが組み合わされたとき、前記係止穴１４２と、前記重ね代１１５ａ、１１５ｂの係止穴１５２ａ、１５２ｂとが一致するようにしておく。但し、立ち上げ部１２１ａ、１２１ｂと内側の重ね代１１５ｂが重なる部分は、外側から順に外側の立ち上げ部１２１ａの係止穴１３２ａ、他方の胴体片１１ａの係止穴１２２、内側の重ね代１１５ｂの係止穴１５２ｂ、内側の立ち上げ部１２１ｂの係止穴１３２ｂが連通することになる。
【００１８】
上記の状態で上端の隣接する胴体片の係止穴１１２には相互の胴体片１１ａ、１１ｂに跨る幅を備えたコ字状の係止ピン１３が嵌め込まれる。また、前記外側の立ち上げ部１２１ａの外側から係止穴１３２ａ、胴体片１１ａ、１１ｂの下の係止穴１２２、内側の立ち上げ部１２１ｂの係止穴１３２ｂ、を貫通する係止ピン１４が貫挿される。但し、立ち上げ部１２１ａ、１２１ｂと内側の重ね代１１５ｂが重なる部分は、当該内側の重ね代１１５ｂの係止穴１３２ｂが更に介在することになる。
【００１９】
更に、外側の重ね代１１５ａの係止穴１５２ａから胴体片１１ｂの係止穴１４２を介して内側の重ね代１１５ｂの係止穴１５２ａを貫通する係止ピン１４が貫挿され、各胴体片１１ａ、１１ｂの当接部を相互を係止する。尚、係止ピン１３、１４は軸部中央が弾力性を持った膨らみを有し、各部のガタツキがない程度に各係止穴に貫挿され、かつ、手で抜くときに抜けやすい大きさとするのが好ましい。
【００２０】
以上のように組み立てられた植木鉢に、通常通り土をいれて、植物を植えることになるが、植え替えのときは、前記上端を係止するピン１２と下端および側面を係合するピン１４を抜き取ることによって、簡単に胴体片１１ａ、１１ｂを外すことができることになる。これによって植え替えが極めて簡単にできることになる。
【産業上の利用可能性】
【００２１】
本発明は、鉢植え植物の植え替えが極めて簡単にできるので、鉢製造分野利用に大いに貢献するものと考えられる。
【符号の説明】
【００２２】
１１ａ、１１ｂ  胴体片
１２  底板
１３  係止ピン
１４  係止ピン
１１１  折り返し部
１２１ａ、１２１ｂ  立ち上げ部
１２２  係止穴
１３２ａ、１３２ｂ  係止穴
【要約】
【課題】植木鉢に植えた植物の植え替えがし難い。
【解決手段】胴体が縦に複数の分割片を備えた植木鉢において、隣り合う胴体片の上端相互を両方の胴体片に跨るコ字上のピンで係止し、底板は周縁が立ち上げられた立ち上げ部を撓え、胴体片の下端は、当該立ち上げ部の内側に嵌め込まれるとともに、係止ピンを立ち上げ部の外側から貫挿する。この構成により、複数に分割された胴体片は簡単にその係合が解かれることになり、植え替えが極めて容易になる。
【選択図】  図１【図１】
0005424434.tif 000002
【図２】
0005424434.tif 000003